(57)【要約】【課題】本発明は、浴槽水に混入させる空気の温度を当該浴槽水と近い温度に保持する機能を備え、当該機能を安価に実現することを目的とする。【解決手段】貯湯式給湯機は、追焚き熱交換器１６、浴槽水流通配管１８、浴槽アダプタ２３、及び浴槽気泡加熱装置３０を備える。追焚き運転時には、浴槽水流通配管１８を介して追焚き熱交換器１６と浴槽２２との間で浴槽水を循環させ、浴槽水を加熱する。このとき、浴槽アダプタ２３は、加熱された浴槽水に対して、空気配管２４から吸込んだ空気を混入させ、微細気泡入りの浴槽水を浴槽２２内に供給する。浴槽気泡加熱装置３０は、浴槽水流通配管１８を流れる浴槽水の熱を利用して、空気配管２４から吸込まれる空気を浴槽水に近い温度まで加熱する。これにより、気泡の混入時に浴槽水の温度が低下するのを防止することができる。【選択図】図１
2014031989.tif 000002
【特許請求の範囲】
【請求項１】
浴槽水を加熱するための加熱装置と浴槽との間に接続され、浴槽水が流通する浴槽水流通配管と、
浴槽水に気泡として混入される空気が流通する空気配管と、
前記浴槽水流通配管を流れる浴槽水の熱を前記空気配管に対して他の部位よりも集中的に伝達する熱伝達手段と、
を備えた浴槽気泡加熱装置。
【請求項２】
前記熱伝達手段は、
前記浴槽水流通配管と前記空気配管とを熱伝達が可能となるように熱的に接触させた配管接触部か、
前記加熱装置により加熱されて前記浴槽水流通配管を流れる浴槽水を前記浴槽内に放出しつつ、前記空気配管から吸込んだ空気を当該浴槽水に混入して気泡を発生させる浴槽アダプタを備え、前記空気配管の少なくとも一部を前記浴槽アダプタに巻装して形成した浴槽アダプタ接触部か、
前記空気配管の少なくとも一部を前記浴槽の外郭と熱的に接触させて形成した浴槽接触部か、
前記空気配管の少なくとも一部を前記加熱装置内に配置して形成した受熱配管部か、
の、少なくとも何れか１つを備えてなる請求項１に記載の浴槽気泡加熱装置。
【請求項３】
前記浴槽水流通配管は、前記浴槽内に貯留された浴槽水を前記加熱装置に流入させる追焚き往き配管と、前記加熱装置により加熱された浴槽水を前記浴槽内に戻す追焚き戻り配管のうち、少なくとも一方の配管である請求項１または２に記載の浴槽気泡加熱装置。
【請求項４】
請求項１乃至３の何れかに記載の浴槽気泡加熱装置と、
前記加熱装置により加熱された浴槽水を前記浴槽内に放出しつつ、前記空気配管から吸込んだ空気を当該浴槽水に混入して気泡を発生させる浴槽アダプタと、を備え、
前記加熱装置により加熱した温水を前記浴槽を含む給湯対象に供給する構成とした給湯機。
【発明の詳細な説明】
【技術分野】
【０００１】
本発明は、浴槽水に供給される気泡を加熱する機能を備えた浴槽気泡加熱装置及びこれを用いた給湯機に関する。
【背景技術】
【０００２】
従来技術として、例えば特許文献１に記載されているように、浴槽水に気泡を供給する機能を備えた給湯機が知られている。従来技術の給湯機には、浴槽水に空気を供給する空気ポンプが搭載されている。この空気ポンプは、浴槽アダプタ等を介して浴槽内に空気を供給することにより、浴槽水に気泡を発生させるように構成されている。しかし、空気の温度は浴槽水の温度よりも低いので、空気ポンプの作動時には、空気の混入により浴槽水の温度が低下し易い。
【０００３】
この温度低下を回避するための方法としては、例えば加熱された空気を吸込んで浴槽水に混入させたり、吸込んだ空気を加熱してから浴槽水に混入させる等の方法が提案されている。また、空気の加熱方法としては、高温水が貯湯された貯湯タンクの近傍の空気を吸込む方法や、吸込んだ空気を浴槽水に供給する配管を貯湯タンクや熱交換器の近傍に配置する方法、あるいは空気を吸込む管を加熱源により加熱する方法等が提案されている。
【先行技術文献】
【特許文献】
【０００４】
【特許文献１】特開平５−１１８６４０号公報
【発明の概要】
【発明が解決しようとする課題】
【０００５】
上述の特許文献１に記載された従来技術では、例えば給湯機から浴槽に供給される浴槽水の湯量や外気温度が変化すると、浴槽水の供給量が一定であっても、その湯温が安定しないという問題がある。また、電気式の加熱源等を利用する場合には、温度制御用のセンサにより湯温を検出しつつ、加熱源に電力を供給する必要があるので、コストアップが生じるという問題がある。
【０００６】
本発明は、上述のような課題を解決するためになされたもので、浴槽水に混入させる空気の温度を当該浴槽水と近い温度に保持する機能を備え、当該機能を安価に実現することが可能な浴槽気泡加熱装置及びこれを用いた給湯機を提供することを目的とする。
【課題を解決するための手段】
【０００７】
本発明に係る浴槽気泡加熱装置は、浴槽水を加熱するための加熱装置と浴槽との間に接続され、浴槽水が流通する浴槽水流通配管と、浴槽水に気泡として混入される空気が流通する空気配管と、浴槽水流通配管を流れる浴槽水の熱を空気配管に対して他の部位よりも集中的に伝達する熱伝達手段と、を備えている。
【発明の効果】
【０００８】
本発明によれば、浴槽水流通配管を流れる浴槽水を利用して、空気配管を流れる空気の温度を浴槽水とほぼ等しい温度まで加熱することができる。これにより、気泡の混入時に浴槽水の温度が低下するのを防止することができ、気泡入りの浴槽水を安定した温度で供給することができる。また、既存の浴槽水流通配管を利用することで、浴槽気泡加熱装置やこれを搭載した機器のコストを抑制することができる。
【図面の簡単な説明】
【０００９】
【図１】本発明の実施の形態１による浴槽気泡加熱装置が適用される貯湯式給湯機を示す全体構成図である。
【図２】本発明の実施の形態１による浴槽気泡加熱装置を示す斜視図である。
【図３】本発明の実施の形態２による浴槽気泡加熱装置が適用される貯湯式給湯機を示す全体構成図である。
【図４】本発明の実施の形態２による浴槽気泡加熱装置を示す斜視図である。
【図５】本発明の実施の形態３による浴槽気泡加熱装置が適用される貯湯式給湯機を示す全体構成図である。
【図６】本発明の実施の形態４による浴槽気泡加熱装置が適用される貯湯式給湯機を示す全体構成図である。
【図７】本発明の実施の形態５による浴槽気泡加熱装置が適用される貯湯式給湯機を示す全体構成図である。
【図８】本発明の実施の形態５において、プレート型の追焚き熱交換器を用いた場合における熱交換器の内部を模式的に示す斜視図である。
【図９】本発明の実施の形態５において、パイプ型の追焚き熱交換器を用いた場合の構成を変形例として示す斜視図である。
【発明を実施するための形態】
【００１０】
実施の形態１．
以下、図１及び図２を参照して、本発明の実施の形態１について説明する。なお、本明細書で使用する各図においては、共通する要素に同一の符号を付し、重複する説明を省略するものとする。図１は、本発明の実施の形態１による浴槽気泡加熱装置が適用される貯湯式給湯機を示す全体構成図である。この図に示すように、本実施の形態の給湯機は、ヒートポンプユニット１と、タンクユニット１０とを備えている。ヒートポンプユニット１は、圧縮機２、水冷媒熱交換器３、膨張弁４及び空気冷媒熱交換器５を冷媒配管６により環状に接続したもので、冷凍サイクル（ヒートポンプサイクル）を搭載している。ヒートポンプユニット１は、冷媒配管６を流れる冷媒と、タンクユニット１０から取出された低温水との間で熱交換することにより、低温水を加熱する（沸き上げる）ものである。ヒートポンプサイクルは、冷媒として二酸化炭素を用い、臨界圧を越える圧力で運転することが好ましい。
【００１１】
タンクユニット１０には、貯湯タンク１１を含む各種の部品や配管等が内蔵されている。貯湯タンク１１は、湯水が貯留される密閉タンクにより構成され、下部流入口１１Ａ、下部流出口１１Ｂ、上部流入口１１Ｃ及び上部流出口１１Ｄを有している。そして、下部流出口１１Ｂと上部流入口１１Ｃとは、循環配管１２を介して互いに接続されている。循環配管１２の途中には、湯水を循環させる沸き上げ循環ポンプ１３と、前記水冷媒熱交換器３の２次側とが接続されている。また、下部流入口１１Ａには、貯湯タンク１１内に市水を導入する給水配管１４が接続されており、上部流出口１１Ｄには、給湯栓、シャワー、浴槽、暖房機器等を含む各種の給湯対象に貯湯タンク１１内の高温水を供給（給湯）するための給湯配管１５が接続されている。
【００１２】
また、タンクユニット１０には、追焚き熱交換器１６、追焚き配管１７、浴槽水流通配管１８及び追焚き循環ポンプ２１が搭載されると共に、浴槽２２が付設されている。追焚き熱交換器１６は、貯湯タンク１１内に貯留された高温水（加熱流体）と浴槽水との間で熱交換することにより、浴槽水を加熱するもので、本実施の形態の加熱装置を構成している。追焚き熱交換器１６の１次側は、追焚き配管１７を介して貯湯タンク１１の上部側及び下部側にそれぞれ接続されている。追焚き配管１７は、貯湯タンク１１の上部側から高温水を取出し、この高温水を追焚き熱交換器１６の１次側を介して貯湯タンク１１の下部側に戻すもので、図示しないポンプにより湯水を循環させる。
【００１３】
追焚き熱交換器１６の２次側には、当該２次側と浴槽２２との間に浴槽水を循環させるための浴槽水流通配管１８が設けられている。浴槽水流通配管１８は、追焚き熱交換器１６の２次側流入口と浴槽２２とを接続する追焚き往き配管１９と、追焚き熱交換器１６の２次側流出口と浴槽２２とを接続する追焚き戻り配管２０とにより構成されている。追焚き往き配管１９は、浴槽２２内に貯留された浴槽水を追焚き熱交換器１６の２次側に流入させるもので、追焚き戻り配管２０は、追焚き熱交換器１６により加熱された浴槽水を浴槽２２内に戻すものである。これらの配管１９，２０は、浴槽２２の壁面部等に設置された浴槽アダプタ２３を介して浴槽２２に接続されている。
【００１４】
浴槽アダプタ２３は、例えば追焚き戻り配管２０を流れる浴槽水の水流を利用して、空気配管２４から空気を吸込むエジェクタ機構等を備えている。このエジェクタ機構により浴槽アダプタ２３内に吸込まれた空気は、浴槽水に混入されて水流中でせん断されることにより微細気泡となる。これにより、浴槽アダプタ２３は、追焚き熱交換器１６により加熱された浴槽水を微細気泡と共に浴槽２２内に放出し、浴槽２２内に微細気泡を発生させるものである。なお、空気配管２４の吸込側は、タンクユニット１０の内部に引込まれており、この部位には空気配管２４を開閉する電磁弁２５が設けられている。
【００１５】
また、追焚き往き配管１９及び空気配管２４には、浴槽水に混入させる気泡を加熱するための浴槽気泡加熱装置３０が設けられている。図２には、本発明の実施の形態１による浴槽気泡加熱装置を示す斜視図である。浴槽気泡加熱装置３０は、追焚き往き配管１９の一部と空気配管２４の一部とを熱伝達が可能となるように直接接触（好ましくは、面接触）させた配管接触部３１と、配管接触部３１の全周を径方向外側から取囲んで覆う略円筒状の断熱材３２とを備えている。配管接触部３１と断熱材３２とは、追焚き往き配管１９を流れる浴槽水の熱を空気配管２４に対して他の部位よりも集中的に伝達する熱伝達手段を構成している。
【００１６】
なお、上記構成例では、追焚き往き配管１９と空気配管２４とを直接接触させる場合を例示したが、本発明において、両者は、熱的に接触していればよく、必ずしも直接接触させる必要はない。即ち、本発明では、追焚き往き配管１９と空気配管２４との間に熱伝導性が高い材料を介在させる構成としてもよい。また、本発明では、少なくとも追焚き往き配管１９と空気配管２４とが熱的に接触していればよく、断熱材３２は採用しなくてもよい。さらに、上記構成例では、追焚き往き配管１９を流れる浴槽水の熱を空気配管２４に伝達する構成としたが、本発明はこれに限らず、追焚き往き配管１９に代えて、追焚き戻り配管２０を空気配管２４と接触させる構成としてもよい。さらには、配管１９，２０の両方を空気配管２４と接触させる構成としてもよい。
【００１７】
次に、本実施の形態による貯湯式給湯機の作動について説明する。まず、貯湯タンク１１内の湯水を加熱する沸き上げ運転時には、ヒートポンプユニット１及び沸き上げ循環ポンプ１３が作動する。これにより、貯湯タンク１１の下部流出口１１Ｂから循環配管１２の下部側に取出された低温水が水冷媒熱交換器３に流入し、この低温水は、水冷媒熱交換器３により加熱されて高温水となる。水冷媒熱交換器３から流出した高温水は、循環配管１２を介して貯湯タンク１１の上部流入口１１Ｃから当該タンク内に戻される。また、給湯運転時には、貯湯タンク１１の上部側に貯留された高温水が上部流出口１１Ｄから給湯配管１５に取出され、この高温水が給湯対象に供給される。また、貯湯タンク１１内が給湯により減少すると、給水配管１４から貯湯タンク１１の下部流入口１１Ａに市水が供給される。これらの運転により、貯湯タンク１１内には、上部側に高温水が貯留されると共に下部側に低温水が貯留され、温度成層が形成される。
【００１８】
一方、浴槽水を加熱（追焚き）する追焚き運転時には、追焚き循環ポンプ２１と、追焚き配管１７に設けられたポンプ（図示せず）が作動する。これにより、貯湯タンク１１内の高温水が追焚き配管１７に取出され、追焚き熱交換器１６の１次側を流通する。また、浴槽２２から追焚き往き配管１９に取出された浴槽水は、追焚き熱交換器１６の２次側を流通し、１次側の高温水と熱交換することにより加熱される。加熱された浴槽水は、追焚き戻り配管２０及び浴槽アダプタ２３を介して浴槽２２内に戻される。また、追焚き運転中に気泡浴を行う場合には、入浴者のリモコン操作等に応じて電磁弁２５が開弁する。これにより、空気配管２４から浴槽アダプタ２３内に空気が吸込まれ、この空気は水流によりせん断されて微細気泡となった後に、浴槽２２内に放出される。
【００１９】
また、浴槽アダプタ２３により気泡を発生させるときには、浴槽気泡加熱装置３０により暖められた空気が浴槽アダプタ２３に供給される。詳しく述べると、空気配管２４に吸込まれた空気は、配管接触部３１を流通するときに、断熱材３２に取囲まれた状態で追焚き往き配管１９を流れる浴槽水から熱伝達を受ける。これにより、配管接触部３１を通過した空気は、浴槽水と等しい温度か、これに近い温度まで加熱され、その後に浴槽水に混入される。
【００２０】
このように、浴槽気泡加熱装置３０によれば、追焚き往き配管１９を流れる浴槽水の熱を空気配管２４に対して他の部位よりも集中的に伝達することができる。そして、追焚き往き配管１９を流れる浴槽水を利用して空気の温度を浴槽水とほぼ等しい温度まで加熱しつつ、この加熱動作が外気温度の影響を受けるのを断熱材３２により抑制することができる。従って、入浴者等により任意の追焚き温度が設定された場合でも、この追焚き温度に制御された浴槽水に対して温度がほぼ等しい空気を混入させることができ、気泡の混入時に浴槽水の温度が低下するのを防止することができる。これにより、微細気泡入りの浴槽水を安定した温度で供給することができ、気泡浴の性能が高い給湯機を実現することができる。また、既存の浴槽水流通配管１８を利用することで、浴槽気泡加熱装置３０やこれを搭載した給湯機のコストを抑制することができる。
【００２１】
なお、本発明では、追焚き往き配管１９に代えて追焚き戻り配管２０を用いた場合や、配管１９，２０の両方を用いた場合にも、上記効果を得ることができる。また、前記実施の形態１では、空気配管２４がタンクユニット１０の内部に開口している場合を例示したが、本発明はこれに限らず、空気配管２４をタンクユニット１０の外部に開口させる構成としてもよい。この場合にも、空気配管２４に吸込まれる空気を追焚き往き配管１９内の浴槽水により加熱することができるので、実施の形態１とほぼ同様の効果を得ることができる。
【００２２】
実施の形態２．
次に、図３及び図４を参照して、本発明の実施の形態２について説明する。本実施の形態は、浴槽水流通配管と空気配管のうち少なくとも一方の配管を他方の配管の周囲に巻装する構成としたことを特徴としている。図３は、本発明の実施の形態２による浴槽気泡加熱装置が適用される貯湯式給湯機を示す全体構成図であり、図４は、図３中の浴槽気泡加熱装置を示す斜視図である。
【００２３】
これらの図に示すように、本実施の形態の浴槽気泡加熱装置４０は、追焚き往き配管１９の一部である熱伝達部４１と、空気配管２４の一部を熱伝達部４１の外周側に複数回巻き付けて形成した螺旋状の配管巻装部４２とを備えている。配管巻装部４２は、巻き付け回数に対応する配管長にわたって熱伝達部４１と接触し、熱伝達部４１の全周を一定の長さ範囲にわたって径方向外側から覆っている。
【００２４】
このように構成される本実施の形態でも、前記実施の形態１とほぼ同様の作用効果を得ることができる。そして、特に本実施の形態では、浴槽気泡加熱装置４０として螺旋状の配管巻装部４２を用いたので、浴槽気泡加熱装置４０の一定の容積、または追焚き往き配管１９の一定の軸方向長さに対する配管１９，２４の接触面積を増加させることができ、追焚き往き配管１９から空気配管２４への熱伝達を効率よく行うことができる。また、熱伝達の効率を一定とした場合には、浴槽気泡加熱装置４０を小型化することができる。
【００２５】
しかも、追焚き往き配管１９の全周に空気配管２４を巻き付ける構成としたので、追焚き往き配管１９から放出される熱を全周にわたって空気配管２４により吸収することができ、追焚き往き配管１９から空気配管２４以外の部位に熱が逃げるのを抑制することができる。これにより、断熱材を使用しなくても、追焚き往き配管１９から空気配管２４への熱伝達効率を高め、装置の簡略化及びコストダウンを促進することができる。
【００２６】
なお、前記実施の形態２では、空気配管２４の一部を追焚き往き配管１９の外周側に巻装する構成とした。しかし、本発明はこれに限らず、追焚き往き配管１９の一部を空気配管２４の外周側に巻装する構成としてもよい。また、追焚き往き配管１９と空気配管２４とが螺旋状をなして相互に絡み合うように配置することにより、配管１９，２４の両方を相手方の配管の外周側に巻装する構成としてもよい。
【００２７】
実施の形態３．
次に、図５を参照して、本発明の実施の形態３について説明する。本実施の形態は、空気配管の少なくとも一部を浴槽アダプタに巻装する構成としたことを特徴としている。図５は、本発明の実施の形態３による浴槽気泡加熱装置が適用される貯湯式給湯機を示す全体構成図である。この図に示すように、本実施の形態の浴槽気泡加熱装置５０は、略円筒状をなす浴槽アダプタ２３と、浴槽アダプタ２３の外周側に空気配管２４の一部を複数回巻き付けて形成した螺旋状の浴槽アダプタ巻装部５１とを備えている。浴槽アダプタ巻装部５１は、巻き付け回数に対応する配管長にわたって浴槽アダプタ２３と接触し、浴槽アダプタ２３の全周を一定の長さ範囲にわたって径方向外側から覆っている。
【００２８】
このように構成される本実施の形態でも、前記実施の形態１とほぼ同様の作用効果を得ることができる。そして、特に本実施の形態では、浴槽アダプタ２３の位置において、追焚き往き配管１９及び追焚き戻り配管２０の両方を流れる浴槽水の熱を空気配管２４に対して他の部位よりも集中的に伝達することができる。従って、２つの配管１９，２０を流れる浴槽水により空気配管２４内の空気を効率的に加熱することができ、当該空気の温度を浴槽水と等しい温度まで速やかに上昇させることができる。
【００２９】
実施の形態４．
次に、図６を参照して、本発明の実施の形態４について説明する。本実施の形態は、空気配管の少なくとも一部を浴槽の外郭と接触させる構成としたことを特徴としている。図６は、本発明の実施の形態４による浴槽気泡加熱装置が適用される貯湯式給湯機を示す全体構成図である。この図に示すように、本実施の形態の浴槽気泡加熱装置６０は、浴槽２２と、空気配管２４の少なくとも一部を浴槽２２の外郭と熱的に接触させて形成した浴槽接触部６１とを備えている。
【００３０】
浴槽接触部６１は、浴槽２２の外側面に沿って蛇行するように複数回屈曲して延在し、その全長にわたって浴槽２２の外側面と接触した状態に保持されている。なお、浴槽接触部６１は、浴槽２２の外側面に対して、直接接触する構成としてもよいし、熱伝導性が高い材料を介して間接的に接触させる構成としてもよい。また、浴槽接触部６１は、上方からみて浴槽２２を周回するように伸長させてもよい。
【００３１】
このように構成される本実施の形態でも、前記実施の形態１とほぼ同様の作用効果を得ることができる。そして、特に本実施の形態では、追焚き往き配管１９及び追焚き戻り配管２０を流れる浴槽水の熱量が集約される浴槽２２全体の熱量を利用して、空気配管２４内の空気を効率的に加熱することができ、当該空気の温度を浴槽水と等しい温度まで速やかに上昇させることができる。
【００３２】
実施の形態５．
次に、図７乃至図９を参照して、本発明の実施の形態５について説明する。本実施の形態は、空気配管の少なくとも一部を追焚き熱交換器の内部に配置したことを特徴としている。図７は、本発明の実施の形態５による浴槽気泡加熱装置が適用される貯湯式給湯機を示す全体構成図である。この図に示すように、本実施の形態の浴槽気泡加熱装置７０は、追焚き熱交換器１６と、空気配管２４の少なくとも一部を追焚き熱交換器１６内に配置して形成した受熱配管部７１とを備えている。
【００３３】
図８は、本発明の実施の形態５において、プレート型の追焚き熱交換器を用いた場合における熱交換器の内部を模式的に示す斜視図である。追焚き熱交換器１６の内部には、追焚き配管１７に接続された１次側流路１６Ａと、上流側が追焚き往き配管１９に接続されて下流側が追焚き戻り配管２０に接続された２次側流路１６Ｂと、受熱配管部７１とが配置されている。受熱配管部７１には、貯湯タンク１１の上部から取出されて追焚き配管１７を流れる高温水の熱と、配管１９，２０内を流れる浴槽水の熱とが伝達される。なお、２次側流路１６Ｂは、浴槽水流通配管１８の一部を構成するものである。
【００３４】
このように構成される本実施の形態でも、前記実施の形態１とほぼ同様の作用効果を得ることができる。そして、特に本実施の形態では、配管１９，２０内を流れる浴槽水の熱だけでなく、貯湯タンク１１から取出された高温水の熱も、空気配管２４内の空気に伝達することができる。これにより、空気配管２４内の空気を効率的に加熱し、当該空気の温度を浴槽水と等しい温度まで速やかに上昇させることができる。
【００３５】
なお、前記実施の形態５では、プレート型の追焚き熱交換器を用いた場合の構成を例示したが、パイプ状の追焚き熱交換器を用いる場合には、図９に示す構成を採用してもよい。図９は、本発明の実施の形態５において、パイプ型の追焚き熱交換器１６′を用いた場合の構成を変形例として示す斜視図である。この変形例において、浴槽気泡加熱装置７０′の受熱配管部７１′は、追焚き往き配管１９のうち追焚き熱交換器１６′の内部に配置された部位、即ち、２次側流路１６Ｂ′の内周側に２重の筒状に配置されている。この構成によっても、図８に示す構成とほぼ同様の作用効果を得ることができる。
【００３６】
また、前記実施の形態１乃至５では、浴槽気泡加熱装置３０，４０，５０，６０，７０，７０′の構成をそれぞれ個別に例示した。しかし、本発明はこれに限らず、実施の形態１乃至５の構成のうち、組合わせが可能な１つまたは複数の構成を組合わせて浴槽気泡加熱装置を実現してもよい。一例を挙げると、本発明の浴槽気泡加熱装置は、配管接触部３１、配管巻装部４２、浴槽アダプタ巻装部５１、浴槽接触部６１及び受熱配管部７１，７１′のうち、１つまたは複数の部位を備える構成としてもよい。また、本発明では、実施の形態２乃至４において、配管巻装部４２、浴槽アダプタ巻装部５１及び浴槽接触部６１を断熱材により覆う構成としてもよい。
【００３７】
また、前記実施の形態１，２，５では、追焚き往き配管１９を流れる浴槽水の熱を空気配管２４に伝達する構成とした。しかし、本発明はこれに限らず、実施の形態１，２，５では、追焚き往き配管１９に代えて、追焚き戻り配管２０を流れる浴槽水の熱、または配管１９，２０の両方を流れる浴槽水の熱を空気配管２４に伝達する構成としてもよい。
【００３８】
また、前記実施の形態１乃至５では、浴槽気泡加熱装置３０，４０，５０，６０，７０，７０′を貯湯式給湯機に適用する場合を例示したが、本発明はこれに限らず、貯湯式やヒートポンプ式ではない各種の給湯機や、気泡浴装置等に適用することができる。
【符号の説明】
【００３９】
１  ヒートポンプユニット
１０  タンクユニット
１１  貯湯タンク
１２  循環配管
１３  沸き上げ循環ポンプ
１４  給水配管
１５  給湯配管
１６，１６′  追焚き熱交換器（加熱装置）
１６Ａ  １次側流路
１６Ｂ，１６Ｂ′  ２次側流路
１７  追焚き配管
１８  浴槽水流通配管
１９  追焚き往き配管
２０  追焚き戻り配管
２１  追焚き循環ポンプ
２２  浴槽
２３  浴槽アダプタ
２４  空気配管
２５  電磁弁
３０，４０，５０，６０，７０，７０′  浴槽気泡加熱装置
３１  配管接触部（熱伝達手段）
３２  断熱材（熱伝達手段）
４１  熱伝達部（熱伝達手段）
４２  配管巻装部（熱伝達手段）
５１  浴槽アダプタ巻装部（熱伝達手段）
６１  浴槽接触部（熱伝達手段）
７１，７１′  受熱配管部（熱伝達手段）
【図１】
2014031989.tif 000003
【図２】
2014031989.tif 000004
【図３】
2014031989.tif 000005
【図４】
2014031989.tif 000006
【図５】
2014031989.tif 000007
【図６】
2014031989.tif 000008
【図７】
2014031989.tif 000009
【図８】
2014031989.tif 000010
【図９】
2014031989.tif 000011